(57)【要約】【課題】ポートレイト画像に対してポートレイト用オーバーレイ画像、ランドスケープ画像に対してランドスケープ用オーバーレイ画像を合成する際に、ユーザの操作性を向上させる。【解決手段】入力された原稿画像がポートレイト画像であると判断されると当該原稿画像に対してポートレイト用オーバーレイ画像を合成し、入力された原稿画像がランドスケープ画像であると判断されると当該原稿画像に対してランドスケープ用オーバーレイ画像を合成する。【選択図】図６
2007329802.tif 000002
【特許請求の範囲】
【請求項１】
ポートレイト画像又はランドスケープ画像の原稿画像が入力される原稿画像入力手段と、
ポートレイト用オーバーレイ画像及びランドスケープ用オーバーレイ画像の２種類のオーバーレイ画像の入力が可能なオーバーレイ画像入力手段と、
前記原稿画像入力手段により入力された原稿画像がポートレイト画像であるかランドスケープ画像であるかを判断する原稿画像方向判断手段と、
前記原稿画像方向判断手段により入力された原稿画像がポートレイト画像であると判断されると当該原稿画像に対して前記オーバーレイ画像入力手段により入力されたポートレイト用オーバーレイ画像を合成し、前記原稿画像方向判断手段により入力された原稿画像がランドスケープ画像であると判断されると当該原稿画像に対して前記オーバーレイ画像入力手段により入力されたランドスケープ用オーバーレイ画像を合成するオーバーレイ画像合成手段と、
前記オーバーレイ画像合成手段によりオーバーレイ画像が合成された原稿画像に基づいて画像形成を行う画像形成手段と、
を有することを特徴とする画像形成装置。
【請求項２】
前記オーバーレイ画像入力手段は、前記原稿画像入力手段と共通であり、前記２種類のオーバーレイ画像は前記原稿画像とともに前記原稿画像入力手段により入力されることを特徴とする請求項１に記載の画像形成装置。
【請求項３】
前記原稿画像入力手段及び前記オーバーレイ画像入力手段は、原稿読取部であることを特徴とする請求項２に記載の画像形成装置。
【請求項４】
前記ポートレイト用オーバーレイ画像及び前記ランドスケープ用オーバーレイ画像の２種類のオーバーレイ画像を予め記憶するオーバーレイ画像記憶手段を有し、
前記オーバーレイ画像入力手段は、前記ポートレイト用オーバーレイ画像及び前記ランドスケープ用オーバーレイ画像を、前記オーバーレイ画像記憶手段から読み出して入力することを特徴とする請求項１に記載の画像形成装置。
【請求項５】
前記オーバーレイ画像記憶手段は、前記ポートレイト用オーバーレイ画像及び前記ランドスケープ用オーバーレイ画像の２種類のオーバーレイ画像を一組のオーバーレイパターンとして、複数組のオーバーレイパターンが記憶可能であり、
前記オーバーレイ画像記憶手段に記憶される複数組のオーバーレイパターンから一組のオーバーレイパターンの選択が可能なオーバーレイパターン選択手段を有し、
前記オーバーレイ画像入力手段は、前記オーバーレイパターン選択手段により選択されたオーバーレイパターンに対応するポートレイト用オーバーレイ画像及びランドスケープ用オーバーレイ画像を、前記オーバーレイ画像記憶手段から読み出して入力することを特徴とする請求項４に記載の画像形成装置。
【請求項６】
ポートレイト画像又はランドスケープ画像の原稿画像が入力される原稿画像入力ステップと、
ポートレイト用オーバーレイ画像及びランドスケープ用オーバーレイ画像の２種類のオーバーレイ画像の入力がされるオーバーレイ画像入力ステップと、
前記原稿画像入力ステップにより入力された原稿画像がポートレイト画像であるかランドスケープ画像であるかを判断する原稿画像方向判断ステップと、
前記原稿画像方向判断ステップにより入力された原稿画像がポートレイト画像であると判断されると当該原稿画像に対して前記オーバーレイ画像入力ステップにより入力されたポートレイト用オーバーレイ画像を合成し、前記原稿画像方向判断ステップにより入力された原稿画像がランドスケープ画像であると判断されると当該原稿画像に対して前記オーバーレイ画像入力ステップにより入力されたランドスケープ用オーバーレイ画像を合成するオーバーレイ画像合成ステップと、
前記オーバーレイ画像合成ステップによりオーバーレイ画像が合成された原稿画像に基づいて画像形成を行う画像形成ステップと、
をコンピュータに実行させることを特徴とするプログラム。
【発明の詳細な説明】
【技術分野】
【０００１】
本発明は、画像形成装置及びプログラムに関する。
【背景技術】
【０００２】
原稿画像をシートに画像形成する際に、当該原稿画像にオーバーレイ画像を合成して画像形成する画像形成装置が知られている（例えば、特許文献１参照）。
【０００３】
特許文献１には、オーバーレイ画像を合成する原稿ページの指定、及び所望のオーバーレイ画像の選択をユーザに設定させることが記載されている。
【特許文献１】特開２００２−４４４１１号公報
【発明の開示】
【発明が解決しようとする課題】
【０００４】
原稿画像には、ポートレイト画像（天地の向きを正して見たとき縦長に見える画像）とランドスケープ画像（天地の向きを正して見たとき横長に見える画像）とがある。
【０００５】
原稿画像としてポートレイト画像とランドスケープ画像とが混在した一群の原稿に対してオーバーレイ画像を合成する場合において、ポートレイト画像に対してポートレイト用オーバーレイ画像、ランドスケープ画像に対してランドスケープ用オーバーレイ画像を適用することがある。例えば、画像の天部に会社名を含む飾り枠をオーバーレイ画像として原稿画像に合成する場合、ポートレイト画像に対してはポートレイト画像の天部に会社名が配置されるオーバーレイ画像、ランドスケープ画像に対してはランドスケープ画像の天部に会社名が配置されるオーバーレイ画像を用意する必要がある。
【０００６】
この場合、特許文献１に記載の画像形成装置においては、ポートレイト画像に対してポートレイト用オーバーレイ画像、ランドスケープ画像に対してランドスケープ用オーバーレイ画像をユーザがそれぞれ手動で選択して設定する必要があり、操作が複雑になる。
【０００７】
本発明は、このような問題に鑑みてなされたものであり、ポートレイト画像に対してポートレイト用オーバーレイ画像、ランドスケープ画像に対してランドスケープ用オーバーレイ画像を合成する際に、ユーザの操作性を向上させることを目的としている。
【課題を解決するための手段】
【０００８】
本発明の画像形成装置は、ポートレイト画像又はランドスケープ画像の原稿画像が入力される原稿画像入力手段と、ポートレイト用オーバーレイ画像及びランドスケープ用オーバーレイ画像の２種類のオーバーレイ画像の入力が可能なオーバーレイ画像入力手段と、前記原稿画像入力手段により入力された原稿画像がポートレイト画像であるかランドスケープ画像であるかを判断する原稿画像方向判断手段と、前記原稿画像方向判断手段により入力された原稿画像がポートレイト画像であると判断されると当該原稿画像に対して前記オーバーレイ画像入力手段により入力されたポートレイト用オーバーレイ画像を合成し、前記原稿画像方向判断手段により入力された原稿画像がランドスケープ画像であると判断されると当該原稿画像に対して前記オーバーレイ画像入力手段により入力されたランドスケープ用オーバーレイ画像を合成するオーバーレイ画像合成手段と、前記オーバーレイ画像合成手段によりオーバーレイ画像が合成された原稿画像に基づいて画像形成を行う画像形成手段と、を有することを特徴としている。
【０００９】
本発明のプログラムは、ポートレイト画像又はランドスケープ画像の原稿画像が入力される原稿画像入力ステップと、ポートレイト用オーバーレイ画像及びランドスケープ用オーバーレイ画像の２種類のオーバーレイ画像の入力がされるオーバーレイ画像入力ステップと、前記原稿画像入力ステップにより入力された原稿画像がポートレイト画像であるかランドスケープ画像であるかを判断する原稿画像方向判断ステップと、前記原稿画像方向判断ステップにより入力された原稿画像がポートレイト画像であると判断されると当該原稿画像に対して前記オーバーレイ画像入力ステップにより入力されたポートレイト用オーバーレイ画像を合成し、前記原稿画像方向判断ステップにより入力された原稿画像がランドスケープ画像であると判断されると当該原稿画像に対して前記オーバーレイ画像入力ステップにより入力されたランドスケープ用オーバーレイ画像を合成するオーバーレイ画像合成ステップと、前記オーバーレイ画像合成ステップによりオーバーレイ画像が合成された原稿画像に基づいて画像形成を行う画像形成ステップと、をコンピュータに実行させることを特徴としている。
【発明の効果】
【００１０】
本発明によれば、ポートレイト原稿画像に対してはポートレイト用オーバーレイ画像を、ランドスケープ原稿画像に対してはランドスケープ用オーバーレイ画像を、自動的に選択して合成することができるので、ユーザの操作性を向上させることができる。
【発明を実施するための最良の形態】
【００１１】
（構成）
図１は、本実施形態に係る画像形成装置の制御構成図である。画像形成装置は、プログラムに従って画像形成装置の各種制御を実行するＣＰＵ１０を中心に、バス１１により、ＲＯＭ１２、ＲＡＭ１３、ＨＤＤ１４、操作表示部１５、原稿読取部１６、画像形成部１７、通信部１８、等が相互に接続されている。バス１１には、これらの制御対象以外の制御対象も接続されているが、本発明と直接関係しないものは、ここでは省略している。
【００１２】
ＲＯＭ１２は、各種プログラムやデータを記憶しており、ＣＰＵ１０がこれらプログラムやデータを利用して画像形成装置の制御を実行する。
【００１３】
ＲＡＭ１３は、ＣＰＵ１０によってワークエリアとして利用され、ＣＰＵ１０が制御を実行する際に必要なプログラムやデータを一時的に記憶する。
【００１４】
ＨＤＤ１４は、画像データ等を記憶する。後述のオーバーレイ画像が予め記憶される。オーバーレイ画像記憶手段として機能する。
【００１５】
操作表示部１５は、タッチパネル等で構成され、各種操作画面の表示や指示入力等が行われる。後述のオーバーレイパターンの選択が行われる。オーバーレイパターン選択手段として機能する。
【００１６】
原稿読取部１６は、原稿を読み取って原稿画像あるいはオーバーレイ画像を生成する。原稿画像入力手段及びオーバーレイ画像入力手段として機能する。
【００１７】
画像形成部１７は、原稿読取部１６又は不図示のパーソナルコンピュータ等から入力される画像データに基づいてシート上に画像形成を行う。画像形成手段として機能する。
【００１８】
通信部１８は、不図示のパーソナルコンピュータ等に接続され、パーソナルコンピュータ等から送信されてくる画像データ等を受信する。原稿画像入力手段及びオーバーレイ画像入力手段として機能する。
【００１９】
（原稿画像とオーバーレイ画像合成後の出力画像）
図２は、原稿画像及びオーバーレイ画像を共に原稿読取部１６から入力する場合の一例を示している。図２（ａ）は各原稿の画像を示しており、図２（ｂ）は、画像形成装置から出力される各シートの画像を示している。
【００２０】
原稿は、図２（ａ）に示すように、６枚の原稿から構成されている。１及び２枚目の原稿は、オーバーレイ画像用の原稿である。１枚目は、ポートレイト画像に対応して合成されるポートレイト用オーバーレイ画像が形成された原稿であり、２枚目は、ランドスケープ画像に対応して合成されるランドスケープ用オーバーレイ画像が形成された原稿である。
【００２１】
３〜６枚目は、オーバーレイ画像が合成される原稿画像であり、それぞれ「１」、「２」、「３」、「４」の画像が形成されている。「１」、「２」の画像はポートレイト画像であり、「３」、「４」の画像はランドスケープ画像である。
【００２２】
出力シートは、図２（ｂ）に示すように、４枚のシートが出力される。１及び２枚目は、それぞれ「１」、「２」のポートレイト画像に対応してポートレイト用オーバーレイ画像が合成されたシートであり、３及び４枚目は、それぞれ「３」、「４」のランドスケープ画像に対応してランドスケープ用オーバーレイ画像が合成されたシートである。
【００２３】
図３は、原稿画像を原稿読取部１６から入力し、オーバーレイ画像を予め記憶されているＨＤＤ１４から入力する場合の一例を示している。図３（ａ）は各原稿の画像を示しており、図３（ｂ）は、ＨＤＤ１４に記憶されているオーバーレイ画像を示しており、図３（ｃ）は、画像形成装置から出力される各シートの画像を示している。
【００２４】
原稿は、図３（ａ）に示すように、４枚の原稿から構成されている。１〜４枚目は、オーバーレイ画像が合成される原稿画像であり、それぞれ「１」、「２」、「３」、「４」の画像が形成されている。「１」、「２」の画像はポートレイト画像であり、「３」、「４」の画像はランドスケープ画像である。
【００２５】
ＨＤＤ１４に記憶されているオーバーレイ画像は、図３（ｂ）に示すように、１つのオーバーレイパターン（オーバーレイパターン選択時に操作表示部１５に表示される）に対して、ポートレイト用オーバーレイ画像とランドスケープ用オーバーレイ画像との２種類が記憶されている。
【００２６】
出力シートは、図３（ｃ）に示すように、４枚のシートが出力される。１及び２枚目は、それぞれ「１」、「２」のポートレイト画像に対応してポートレイト用オーバーレイ画像が合成されたシートであり、３及び４枚目は、それぞれ「３」、「４」のランドスケープ画像に対応してランドスケープ用オーバーレイ画像が合成されたシートである。
【００２７】
（制御フロー）
＜オーバーレイモード処理＞
図４は、本実施形態に係るオーバーレイモード処理のフロー図である。本オーバーレイモード処理は、ＲＯＭ１２に記憶されているプログラムに従って、ＣＰＵ１０が処理を行うことにより実現される。
【００２８】
既に、操作表示部１５により、オーバーレイモードが選択されるとともに、オーバーレイ画像の読み込みを原稿読取部１６から行うか（図２に相当）、ＨＤＤ１４から行うか（図３に相当）が選択されているものとする。
【００２９】
まず、ＣＰＵ１０は、オーバーレイ画像が原稿読取部１６又はＨＤＤ１４のどちらから読み込まれるのか判断する（ステップＳ１）。
【００３０】
オーバーレイ画像が原稿読取部１６から読み取られると判断すると（ステップＳ１；Ｙｅｓ）、ＣＰＵ１０は、原稿画像格納処理（オーバーレイ画像原稿読取部経由入力時）を行う（ステップＳ２）。原稿画像格納処理（オーバーレイ画像原稿読取部経由入力時）の詳細については後述する。
【００３１】
次に、ＣＰＵ１０は、オーバーレイ画像合成処理（オーバーレイ画像原稿読取部経由入力時）を行う（ステップＳ３）。オーバーレイ画像合成処理（オーバーレイ画像原稿読取部経由入力時）の詳細については後述する。
【００３２】
次に、ＣＰＵ１０は、オーバーレイ画像が合成された原稿画像の画像形成処理を行う（ステップＳ４）。
【００３３】
ステップＳ１において、オーバーレイ画像がＨＤＤ１４から読み込まれると判断すると（ステップＳ１；Ｎｏ）、ＣＰＵ１０は、ＨＤＤ１４に格納されているオーバーレイパターンの中から一のオーバーレイパターンの選択をユーザに促すため、操作表示部１５にオーバーレイパターン選択画面を表示させる（ステップＳ５）。例えば、操作表示部１５には、図３（ｂ）の（表示）に示すような、オーバーレイパターンが表示される。もちろん、オーバーレイパターンが複数存在すれば、複数のオーバーレイパターンが表示される。
【００３４】
ＨＤＤ１４に記憶されているオーバーレイ画像は、図３（ｂ）に示すように、１つのオーバーレイパターンに対して、ポートレイト用オーバーレイ画像とランドスケープ用オーバーレイ画像との２種類が記憶されている。操作表示部１５にオーバーレイパターンを表示させるにあたり、ポートレイト用オーバーレイ画像及びランドスケープ用オーバーレイ画像のうち一のオーバーレイ画像を代表して表示するようにすれば、ポートレイト用オーバーレイ画像及びランドスケープ用オーバーレイ画像の両方の画像を表示させる場合と比べて、表示数が半減するので、複数のオーバーレイパターンの中から所望のオーバーレイパターンを選択する際に容易に見つけ選択することが可能となる。
【００３５】
次に、オーバーレイパターン選択画面に基づいてユーザにより入力がなされると、ＣＰＵ１０には、オーバーレイパターンの選択情報が入力される（ステップＳ６）。オーバーレイパターン選択手段として機能する。
【００３６】
次に、ＣＰＵ１０は、原稿画像格納処理（オーバーレイ画像ＨＤＤ経由入力時）を行う（ステップＳ７）。原稿画像格納処理（オーバーレイ画像ＨＤＤ経由入力時）の詳細については後述する。
【００３７】
次に、ＣＰＵ１０は、オーバーレイ画像合成処理（オーバーレイ画像ＨＤＤ経由入力時）を行う（ステップＳ８）。オーバーレイ画像合成処理（オーバーレイ画像ＨＤＤ経由入力時）の詳細については後述する。
【００３８】
次に、ステップＳ４に進み、ＣＰＵ１０は、オーバーレイ画像が合成された原稿画像の画像形成処理を行う。これにより、ポートレイト画像の原稿画像に対してはポートレイト用オーバーレイ画像が合成されシート上に画像形成される。また、ランドスケープ画像の原稿画像に対してはランドスケープ用オーバーレイ画像が合成されシート上に画像形成される。
【００３９】
＜原稿画像格納処理（オーバーレイ画像原稿読取部経由入力時）＞
図５は、ステップＳ２に係る原稿画像格納処理（オーバーレイ画像原稿読取部経由入力時）のフロー図である。本原稿画像格納処理は、ＲＯＭ１２に記憶されているプログラムに従って、ＣＰＵ１０が処理を行うことにより実現される。図２（ａ）に対応するもので、原稿読取部１６からは原稿画像と共にオーバーレイ画像も読み込まれる。１枚目の原稿はポートレイト用オーバーレイ画像として、２枚目の原稿はランドスケープ用オーバーレイ画像として読み取られるように予め設定されている。
【００４０】
まず、ＣＰＵ１０は、初期設定として変数ｉに１を設定する（ステップＳ２１）。
【００４１】
次に、ＣＰＵ１０は、原稿読取部１６により読み取るｉページ目の原稿が存在するか否かを判断する（ステップＳ２２）。
【００４２】
ｉページ目の原稿が存在すると判断すると（ステップＳ２２；Ｙｅｓ）、ＣＰＵ１０は、原稿読取部１６を介してｉページ目の原稿を読み込む（ステップＳ２３）。
【００４３】
ｉページ目の原稿が存在しないと判断すると（ステップＳ２２；Ｎｏ）、ＣＰＵ１０は、フローを終了する。
【００４４】
次に、ＣＰＵ１０は、ｉ＝１であるか否かを判断する（ステップＳ２４）。
【００４５】
ｉ＝１であると判断すると（ステップＳ２４；Ｙｅｓ）、ＣＰＵ１０は、ステップＳ２３で読み込んだ画像をポートレイト用オーバーレイ画像としてＨＤＤ１４に格納する（ステップＳ２５）。その後、ステップＳ２９に進む。
【００４６】
ｉ＝１でないと判断すると（ステップＳ２４；Ｎｏ）、ＣＰＵ１０は、ｉ＝２であるか否かを判断する（ステップＳ２６）。
【００４７】
ステップＳ２６において、ｉ＝２であると判断すると（ステップＳ２６；Ｙｅｓ）、ＣＰＵ１０は、ステップＳ２３で読み込んだ画像をランドスケープ用オーバーレイ画像としてＨＤＤ１４に格納する（ステップＳ２７）。その後、ステップＳ２９に進む。
【００４８】
ｉ＝２でないと判断すると（ステップＳ２６；Ｎｏ）、ＣＰＵ１０は、ステップＳ２３で読み込んだ画像を（ｉ−２）番目の原稿画像としてＨＤＤ１４に格納する（ステップＳ２８）。その後、ステップＳ２９に進む。
【００４９】
ステップＳ２９において、ＣＰＵ１０は、ｉ＝ｉ＋１とｉの値を１つ増分させ、ステップＳ２２に戻る。これにより、最終原稿までステップＳ２２〜Ｓ２８が繰り返され、各原稿の画像が原稿画像あるいはオーバーレイ画像としてＨＤＤ１４に記憶される。
【００５０】
＜オーバーレイ画像合成処理（オーバーレイ画像原稿読取部経由入力時）＞
図６は、ステップＳ３に係るオーバーレイ画像合成処理（オーバーレイ画像原稿読取部経由入力時）のフロー図である。本オーバーレイ画像合成処理は、ＲＯＭ１２に記憶されているプログラムに従って、ＣＰＵ１０が処理を行うことにより実現される。
【００５１】
まず、ＣＰＵ１０は、初期設定として変数ｊに１を設定する（ステップＳ３１）。
【００５２】
次に、ＣＰＵ１０は、図５のステップＳ２８においてＨＤＤ１４に格納した原稿画像においてｊ番目の原稿画像が存在するか否かを判断する（ステップＳ３２）。
【００５３】
ｊ番目の原稿画像が存在すると判断すると（ステップＳ３２；Ｙｅｓ）、ＣＰＵ１０は、ＨＤＤ１４からｊ番目の原稿画像を読み込む（ステップＳ３３）。
【００５４】
ｊ番目の原稿画像が存在しないと判断すると（ステップＳ３２；Ｎｏ）、ＣＰＵ１０は、フローを終了する。
【００５５】
次に、ステップＳ３３において読み込んだ原稿画像がポートレイト画像であるか否かを判断する（ステップＳ３４）。原稿画像方向判断手段として機能する。原稿画像がポートレイト画像であるかランドスケープ画像であるかは、例えば、特開平９−１３０５１６号に記載の自動天地認識技術を用いて判断することができる。あるいは、不図示の原稿載置台にセットした際の原稿の天地方向を、予め操作表示部１５を用いて原稿毎に指定しておくことによっても可能である。
【００５６】
原稿画像がポートレイト画像であると判断すると（ステップＳ３４；Ｙｅｓ）、ＣＰＵ１０は、図５のステップＳ２５で格納したポートレイト用オーバーレイ画像を読み込み（ステップＳ３５）、原稿画像に対してポートレイト用オーバーレイ画像を合成する（ステップＳ３６）。オーバーレイ画像合成手段として機能する。その後、ステップＳ３９に進む。
【００５７】
原稿画像がポートレイト画像でない、つまりランドスケープ画像であると判断すると（ステップＳ３４；Ｎｏ）、ＣＰＵ１０は、図５のステップＳ２７で格納したランドスケープ用オーバーレイ画像を読み込み（ステップＳ３７）、原稿画像に対してランドスケープ用オーバーレイ画像を合成する（ステップＳ３８）。オーバーレイ画像合成手段として機能する。その後、ステップＳ３９に進む。
【００５８】
ステップＳ３９において、ＣＰＵ１０は、オーバーレイ画像の合成された原稿画像をＨＤＤ１４に格納する。
【００５９】
ステップＳ４０において、ＣＰＵ１０は、ｊ＝ｊ＋１とｊの値を１つ増分させ、ステップＳ３２に戻る。これにより、最終原稿までステップＳ３２〜Ｓ３９が繰り返され、各原稿画像にポートレイト用オーバーレイ画像あるいはランドスケープ用オーバーレイ画像が合成された後ＨＤＤ１４に記憶される。
【００６０】
＜原稿画像格納処理（オーバーレイ画像ＨＤＤ経由入力時）＞
図７は、ステップＳ７に係る原稿画像格納処理（オーバーレイ画像ＨＤＤ経由入力時）のフロー図である。本原稿画像格納処理は、ＲＯＭ１２に記憶されているプログラムに従って、ＣＰＵ１０が処理を行うことにより実現される。図３（ａ）に対応するもので、原稿読取部１６からは原稿画像のみが入力される。
【００６１】
まず、ＣＰＵ１０は、初期設定として変数ｉに１を設定する（ステップＳ７１）。
【００６２】
次に、ＣＰＵ１０は、原稿読取部１６により読み取るｉページ目の原稿が存在するか否かを判断する（ステップＳ７２）。
【００６３】
ｉページ目の原稿が存在すると判断すると（ステップＳ７２；Ｙｅｓ）、ＣＰＵ１０は、原稿読取部１６を介してｉページ目の原稿を読み込む（ステップＳ７３）。
【００６４】
ｉページ目の原稿が存在しないと判断すると（ステップＳ７２；Ｎｏ）、ＣＰＵ１０は、フローを終了する。
【００６５】
次に、ＣＰＵ１０は、ステップＳ７３で読み込んだ画像をｉ番目の原稿画像としてＨＤＤ１４に格納する（ステップＳ７４）。
【００６６】
次に、ＣＰＵ１０は、ｉ＝ｉ＋１とｉの値を１つ増分させ、ステップＳ７２に戻る。これにより、最終原稿までステップＳ７２〜Ｓ７４が繰り返され、各原稿の画像が原稿画像としてＨＤＤ１４に記憶される。
【００６７】
＜オーバーレイ画像合成処理（オーバーレイＨＤＤ経由入力時）＞
図８は、ステップＳ８に係るオーバーレイ画像合成処理（オーバーレイＨＤＤ経由入力時）のフロー図である。本オーバーレイ画像合成処理は、ＲＯＭ１２に記憶されているプログラムに従って、ＣＰＵ１０が処理を行うことにより実現される。
【００６８】
まず、ＣＰＵ１０は、初期設定として変数ｊに１を設定する（ステップＳ８１）。
【００６９】
次に、ＣＰＵ１０は、図５のステップＳ７４においてＨＤＤ１４に格納した原稿画像においてｊ番目の原稿画像が存在するか否かを判断する（ステップＳ８２）。
【００７０】
ｊ番目の原稿画像が存在すると判断すると（ステップＳ８２；Ｙｅｓ）、ＣＰＵ１０は、ＨＤＤ１４からｊ番目の原稿画像を読み込む（ステップＳ８３）。
【００７１】
ｊ番目の原稿画像が存在しないと判断すると（ステップＳ８２；Ｎｏ）、ＣＰＵ１０は、フローを終了する。
【００７２】
次に、ステップＳ８３において読み込んだ原稿画像がポートレイト画像であるか否かを判断する（ステップＳ８４）。原稿画像方向判断手段として機能する。
【００７３】
原稿画像がポートレイト画像であると判断すると（ステップＳ８４；Ｙｅｓ）、ＣＰＵ１０は、図４のステップＳ６で入力された選択情報に対応するオーバーレイパターンの中のポートレイト用オーバーレイ画像をＨＤＤ１４から読み込む（ステップＳ８５）。オーバーレイ画像入力手段として機能する。そして、原稿画像に対してポートレイト用オーバーレイ画像を合成する（ステップＳ８６）。オーバーレイ画像合成手段として機能する。その後、ステップＳ８９に進む。
【００７４】
原稿画像がポートレイト画像でない、つまりランドスケープ画像であると判断すると（ステップＳ８４；Ｎｏ）、ＣＰＵ１０は、図４のステップＳ６で入力された選択情報に対応するオーバーレイパターンの中のランドスケープ用オーバーレイ画像を読み込む（ステップＳ８７）。オーバーレイ画像入力手段として機能する。そして、原稿画像に対してランドスケープ用オーバーレイ画像を合成する（ステップＳ８８）。オーバーレイ画像合成手段として機能する。その後、ステップＳ８９に進む。
【００７５】
ステップＳ８９において、ＣＰＵ１０は、オーバーレイ画像の合成された原稿画像をＨＤＤ１４に格納する。
【００７６】
ステップＳ９０において、ＣＰＵ１０は、ｊ＝ｊ＋１とｊの値を１つ増分させ、ステップＳ８２に戻る。これにより、最終原稿までステップＳ８２〜Ｓ８９が繰り返され、各原稿画像にポートレイト用オーバーレイ画像あるいはランドスケープ用オーバーレイ画像が合成された後ＨＤＤ１４に記憶される。
【００７７】
以上のように、本実施形態によれば、ポートレイト原稿画像に対してはポートレイト用オーバーレイ画像を、ランドスケープ原稿画像に対してはランドスケープ用オーバーレイ画像を、自動的に選択して合成することができるので、ユーザの操作性を向上させることができる。
【００７８】
本実施形態では、原稿読取部１６により原稿画像又はオーバーレイ画像を入力したが、パーソナルコンピュータ等から通信部１８を介して原稿画像又はオーバーレイ画像を入力してもよい。
【図面の簡単な説明】
【００７９】
【図１】本実施形態に係る画像形成装置の制御構成図である。
【図２】原稿画像及びオーバーレイ画像を共に原稿読取部１６から入力する場合の一例である。図２（ａ）は各原稿の画像を示しており、図２（ｂ）は、画像形成装置から出力される各シートの画像を示している。
【図３】原稿画像を原稿読取部１６から入力し、オーバーレイ画像を予め記憶されているＨＤＤ１４から入力する場合の一例である。図３（ａ）は各原稿の画像を示しており、図３（ｂ）は、ＨＤＤ１４に記憶されているオーバーレイ画像を示しており、図３（ｃ）は、画像形成装置から出力される各シートの画像を示している。
【図４】本実施形態に係るオーバーレイモード処理のフロー図である。
【図５】本実施形態に係る原稿画像格納処理（オーバーレイ画像原稿読取部経由入力時）のフロー図である。
【図６】本実施形態に係るオーバーレイ画像合成処理（オーバーレイ画像原稿読取部経由入力時）のフロー図である。
【図７】本実施形態に係る原稿画像格納処理（オーバーレイ画像ＨＤＤ経由入力時）のフロー図である。
【図８】本実施形態に係るオーバーレイ画像合成処理（オーバーレイ画像ＨＤＤ経由入力時）のフロー図である。
【符号の説明】
【００８０】
１０  ＣＰＵ
１２  ＲＯＭ
１４  ＨＤＤ
１５  操作表示部
１６  原稿読取部
１７  画像形成部
１８  通信部
【図１】
2007329802.tif 000003
【図２】
2007329802.tif 000004
【図３】
2007329802.tif 000005
【図４】
2007329802.tif 000006
【図５】
2007329802.tif 000007
【図６】
2007329802.tif 000008
【図７】
2007329802.tif 000009
【図８】
2007329802.tif 000010